(57)【要約】【課題】通信装置において、ユーザの指定したデータを、近距離無線通信に基づいて確立した高速無線通信によって情報処理装置から取得できるようにすることで、ユーザビリティを向上させる技術を提供する。【解決手段】携帯端末（通信装置）は、操作画面を介したユーザの指示に従って、ＭＦＰ（情報処理装置）から取得すべきデータ項目を選択する（Ｓ１０２）。ユーザが携帯端末をＭＦＰのＮＦＣタグに近づけることによって、携帯端末とＮＦＣタグとの間でＮＦＣ通信が確立されると、携帯端末は、ＭＦＰにＷｉ−Ｆｉ Ｄｉｒｅｃｔで接続するための接続情報を、ＮＦＣタグから読み取る（Ｓ１０５）。携帯端末は、得られた接続情報に基づいてＷｉ−Ｆｉ ＤｉｒｅｃｔでＭＦＰに接続し、選択したデータ項目に対応するデータを、Ｗｉ−Ｆｉ Ｄｉｒｅｃｔ通信によってＭＦＰから取得する（Ｓ１０６〜Ｓ１０９）。【選択図】図７
2019054535.tif 000002
【特許請求の範囲】
【請求項１】
情報処理装置と、前記情報処理装置と通信可能な通信装置とを備える通信システムであって、
前記情報処理装置は、
近距離無線通信のための第１通信方式の通信を行う第１通信手段と、
前記第１通信方式よりも高速な無線通信のための第２通信方式の通信を行う第２通信手段と、を備え、
前記通信装置は、
ユーザの指示に従って、前記情報処理装置から取得すべき少なくとも１つのデータ項目を指定する指定手段と、
前記第２通信方式で前記情報処理装置に接続するための接続情報を、前記第１通信方式の通信によって前記情報処理装置から取得する第１取得手段と、
前記第１取得手段によって取得された前記接続情報に基づいて前記第２通信方式で前記情報処理装置に接続し、前記指定手段によって指定されたデータ項目に対応するデータを、前記第２通信方式の通信によって前記情報処理装置から取得する第２取得手段と、
を備えることを特徴とする通信システム。
【請求項２】
前記第１通信手段は、前記第１通信方式の通信によって外部装置からの情報の読み取り及び書き込みが可能な記憶領域を有し、
前記情報処理装置は、前記接続情報を前記記憶領域に格納する格納手段を更に備え、
前記第１取得手段は、前記記憶領域に格納されている前記接続情報を、前記第１通信方式の通信によって読み取る
ことを特徴とする請求項１に記載の通信システム。
【請求項３】
前記第２取得手段は、前記指定手段によって指定されたデータ項目に対応するデータを要求するためのデータ要求を、前記第２通信方式の通信によって前記情報処理装置に送信し、
前記第２通信手段は、前記通信装置から受信したデータ要求に従って、要求されたデータ項目に対応するデータを前記通信装置に送信する
ことを特徴とする請求項１または２に記載の通信システム。
【請求項４】
前記第１取得手段は、更に、前記指定手段によって指定されたデータ項目に対応するデータを要求するためのデータ要求を、前記第１通信方式の通信によって前記記憶領域に書き込み、
前記第２通信手段は、前記通信装置から前記記憶領域に書き込まれたデータ要求に従って、要求されたデータ項目に対応するデータを前記通信装置に送信する
ことを特徴とする請求項２に記載の通信システム。
【請求項５】
前記第１通信方式は、外部装置へのデータの送信のみが可能な第１通信モードと、外部装置からのデータの受信のみが可能な第２通信モードと、外部装置との間でデータの送受信が可能な第３通信モードとを含み、
前記第１取得手段は、前記第３通信モードで前記第１通信手段との通信を確立し、前記第１通信手段から前記接続情報を受信するとともに、前記指定手段によって指定されたデータ項目に対応するデータを要求するためのデータ要求を前記第１通信手段に送信する
ことを特徴とする請求項１に記載の通信システム。
【請求項６】
前記指定手段は、前記情報処理装置から取得可能な複数のデータ項目を前記通信装置の表示部に表示して、前記少なくとも１つのデータ項目の選択をユーザから受け付けることを特徴とする請求項１から５のいずれか１項に記載の通信システム。
【請求項７】
前記第２取得手段は、前記指定手段によって指定されたデータ項目に対応するデータの取得が完了すると、追加のデータ項目の指定をユーザから受け付けて、当該追加のデータ項目に対応するデータを前記第２通信方式の通信によって前記情報処理装置から更に取得する
ことを特徴とする請求項１から６のいずれか１項に記載の通信システム。
【請求項８】
前記第１取得手段は、前記通信装置が前記情報処理装置に近接した状態となると、前記第１通信方式で前記第１通信手段との通信を確立することを特徴とする請求項１から７のいずれか１項に記載の通信システム。
【請求項９】
前記第２通信方式は、Ｗｉ−Ｆｉ Ｄｉｒｅｃｔであり、
前記第２取得手段は、前記情報処理装置とＷｉ−Ｆｉ Ｄｉｒｅｃｔ接続を行うことによって、前記情報処理装置と通信する
ことを特徴とする請求項１から８のいずれか１項に記載の通信システム。
【請求項１０】
前記第２通信方式は、無線ＬＡＮ方式であり、
前記第２取得手段は、前記無線ＬＡＮ方式の通信によってアクセスポイントに接続することによって、当該アクセスポイントを介して前記情報処理装置と通信する
ことを特徴とする請求項１から８のいずれか１項に記載の通信システム。
【請求項１１】
情報処理装置と通信可能な通信装置であって、
ユーザの指示に従って、前記情報処理装置から取得すべき少なくとも１つのデータ項目を指定する指定手段と、
近距離無線通信のための第１通信方式によって、前記第１通信方式よりも高速な無線通信のための第２通信方式で前記情報処理装置に接続するための接続情報を前記情報処理装置から取得する第１取得手段と、
前記第１取得手段によって取得された前記接続情報に基づいて前記第２通信方式で前記情報処理装置に接続し、前記指定手段によって指定されたデータ項目に対応するデータを、前記第２通信方式の通信によって前記情報処理装置から取得する第２取得手段と、
を備えることを特徴とする通信装置。
【請求項１２】
前記第１取得手段は、前記情報処理装置の記憶領域に格納されている前記接続情報を、前記第１通信方式の通信によって読み取ることを特徴とする請求項１１に記載の通信装置。
【請求項１３】
前記第２取得手段は、前記指定手段によって指定されたデータ項目に対応するデータを要求するためのデータ要求を、前記第２通信方式の通信によって前記情報処理装置に送信することを特徴とする請求項１１または１２に記載の通信装置。
【請求項１４】
前記第１取得手段は、更に、前記指定手段によって指定されたデータ項目に対応するデータを要求するためのデータ要求を、前記第１通信方式の通信によって前記記憶領域に書き込むことを特徴とする請求項１２に記載の通信装置。
【請求項１５】
前記第１通信方式は、外部装置へのデータの送信のみが可能な第１通信モードと、外部装置からのデータの受信のみが可能な第２通信モードと、外部装置との間でデータの送受信が可能な第３通信モードとを含み、
前記第１取得手段は、前記第３通信モードで前記情報処理装置との通信を確立し、前記情報処理装置から前記接続情報を受信するとともに、前記指定手段によって指定されたデータ項目に対応するデータを要求するためのデータ要求を前記情報処理装置に送信する
ことを特徴とする請求項１１に記載の通信装置。
【請求項１６】
前記指定手段は、前記情報処理装置から取得可能な複数のデータ項目を前記通信装置の表示部に表示して、前記少なくとも１つのデータ項目の選択をユーザから受け付けることを特徴とする請求項１１から１５のいずれか１項に記載の通信装置。
【請求項１７】
前記第２取得手段は、前記指定手段によって指定されたデータ項目に対応するデータの取得が完了すると、追加のデータ項目の指定をユーザから受け付けて、当該追加のデータ項目に対応するデータを前記第２通信方式の通信によって前記情報処理装置から更に取得することを特徴とする請求項１１から１６のいずれか１項に記載の通信装置。
【請求項１８】
前記第１取得手段は、前記通信装置が前記情報処理装置に近接した状態となると、前記第１通信方式で前記情報処理装置との通信を確立することを特徴とする請求項１１から１７のいずれか１項に記載の通信装置。
【請求項１９】
前記第２通信方式は、Ｗｉ−Ｆｉ Ｄｉｒｅｃｔであり、
前記第２取得手段は、前記情報処理装置とＷｉ−Ｆｉ Ｄｉｒｅｃｔ接続を行うことによって、前記情報処理装置と通信する
ことを特徴とする請求項１１から１８のいずれか１項に記載の通信装置。
【請求項２０】
前記第２通信方式は、無線ＬＡＮ方式であり、
前記第２取得手段は、前記無線ＬＡＮ方式の通信によってアクセスポイントに接続することによって、当該アクセスポイントを介して前記情報処理装置と通信する
ことを特徴とする請求項１１から１８のいずれか１項に記載の通信装置。
【請求項２１】
情報処理装置と通信可能な通信装置の制御方法であって、
ユーザの指示に従って、前記情報処理装置から取得すべき少なくとも１つのデータ項目を指定する指定工程と、
近距離無線通信のための第１通信方式によって、前記第１通信方式よりも高速な無線通信のための第２通信方式で前記情報処理装置に接続するための接続情報を前記情報処理装置から取得する第１取得工程と、
前記第１取得工程で取得された前記接続情報に基づいて前記第２通信方式で前記情報処理装置に接続し、前記指定工程で指定されたデータ項目に対応するデータを、前記第２通信方式の通信によって前記情報処理装置から取得する第２取得工程と、
を備えることを特徴とする通信装置の制御方法。
【請求項２２】
請求項１１から２０のいずれか１項に記載の通信装置の各手段としてコンピュータを機能させるためのプログラム。
【発明の詳細な説明】
【技術分野】
【０００１】
本発明は、通信システム、通信装置及びその制御方法、並びにプログラムに関するものである。
【背景技術】
【０００２】
近年、ＮＦＣ（Near Field Communication）と称される近距離無線通信技術を実装し、Ｂｌｕｅｔｏｏｔｈ（登録商標）やＷｉ−Ｆｉ Ｄｉｒｅｃｔ（登録商標）等の高速無線通信が可能な規格に対応した通信のためのペアリングや認証等にＮＦＣを応用する製品が登場している。ペアリングとは、装置間で無線接続するために装置情報を送受信する通信手続きを示す。このような装置では、装置間のペアリングをＮＦＣ通信によって行い、実際の通信をＢｌｕｅｔｏｏｔｈ（登録商標）やＷｉ−Ｆｉ Ｄｉｒｅｃｔ等の規格に対応した通信に引き継ぐハンドオーバーを行うことができる。ユーザは、ＮＦＣに対応した装置同士を近づけるだけで、無線接続のための煩雑な設定をそれらの装置に自動的に行わせることができる。
【０００３】
最近では、複合機やプリンター等の情報処理装置にもこのような技術が実装され始めている。例えば、情報処理装置において、ＳＳＩＤ、ＩＰアドレス、ＭＡＣアドレス等の、無線通信のための装置情報（接続情報）を予めＮＦＣタグに書き込んでおく。この場合、ＮＦＣに対応した携帯端末等の通信装置をユーザが情報処理装置のＮＦＣタグにかざすことによって、情報処理装置と通信装置との間でペアリングがＮＦＣ通信によって行われる。更に、ＮＦＣ通信から、Ｂｌｕｅｔｏｏｔｈ（登録商標）やＷｉ−Ｆｉ Ｄｉｒｅｃｔ等の高速無線通信が可能な通信規格に対応した通信にハンドオーバーが行われる。これにより、通信装置は、高速無線通信によってプリントジョブやスキャンジョブ等のジョブを送信し、また、送信したジョブに対応するデータ（スキャンデータ等）を受信できる。
【先行技術文献】
【特許文献】
【０００４】
【特許文献１】特開２００４−３６４１４５号公報
【発明の概要】
【発明が解決しようとする課題】
【０００５】
従来、携帯端末等の通信装置が、複合機やプリンター等の情報処理装置から取得可能なデータは、携帯端末に実装されているアプリケーションに対応するデータ（スキャンデータ等）に限定されていた。しかし、ユーザの利便性を向上させるためには、情報処理装置から取得可能なデータをそのようなデータに限定することなく、ログ情報や設定情報等の種々のデータからユーザが指定（選択）できることが必要である。
【０００６】
本発明は、上述の問題に鑑みてなされたものである。本発明は、通信装置において、ユーザの指定したデータを、近距離無線通信に基づいて確立した高速無線通信によって情報処理装置から取得できるようにすることで、ユーザビリティを向上させる技術を提供することを目的とする。
【課題を解決するための手段】
【０００７】
本発明は、例えば、通信システム及び通信装置として実現できる。本発明の一態様に係る通信システムは、情報処理装置と、前記情報処理装置と通信可能な通信装置とを備える通信システムであって、前記情報処理装置は、近距離無線通信のための第１通信方式の通信を行う第１通信手段と、前記第１通信方式よりも高速な無線通信のための第２通信方式の通信を行う第２通信手段と、を備え、前記通信装置は、ユーザの指示に従って、前記情報処理装置から取得すべき少なくとも１つのデータ項目を指定する指定手段と、前記第２通信方式で前記情報処理装置に接続するための接続情報を、前記第１通信方式の通信によって前記情報処理装置から取得する第１取得手段と、前記第１取得手段によって取得された前記接続情報に基づいて前記第２通信方式で前記情報処理装置に接続し、前記指定手段によって指定されたデータ項目に対応するデータを、前記第２通信方式の通信によって前記情報処理装置から取得する第２取得手段と、を備えることを特徴とする。
【０００８】
また、本発明の一態様に係る通信装置は、情報処理装置と通信可能な通信装置であって、ユーザの指示に従って、前記情報処理装置から取得すべき少なくとも１つのデータ項目を指定する指定手段と、近距離無線通信のための第１通信方式によって、前記第１通信方式よりも高速な無線通信のための第２通信方式で前記情報処理装置に接続するための接続情報を前記情報処理装置から取得する第１取得手段と、前記第１取得手段によって取得された前記接続情報に基づいて前記第２通信方式で前記情報処理装置に接続し、前記指定手段によって指定されたデータ項目に対応するデータを、前記第２通信方式の通信によって前記情報処理装置から取得する第２取得手段と、を備えることを特徴とする。
【発明の効果】
【０００９】
本発明によれば、通信装置において、ユーザの指定したデータを、近距離無線通信に基づいて確立した高速無線通信によって情報処理装置から取得できるようにすることで、ユーザビリティを向上させることが可能である。
【図面の簡単な説明】
【００１０】
【図１】通信システムの構成例を示す図。
【図２】ＭＦＰのハードウェア構成例を示すブロック図。
【図３】携帯端末のハードウェア構成例を示すブロック図。
【図４】、
【図５】、
【図６】携帯端末の表示部に表示される、ＭＦＰ連携アプリケーションの操作画面の例を示す図。
【図７】第１の実施形態に係る携帯端末１０２において実行されるデータ取得制御の手順を示すフローチャート。
【図８】第１の実施形態に係るＭＦＰ１０１において実行されるデータ取得制御の手順を示すフローチャート。
【図９】第２の実施形態に係る携帯端末１０２において実行されるデータ取得制御の手順を示すフローチャート。
【図１０】第２の実施形態に係るＭＦＰ１０１において実行されるデータ取得制御の手順を示すフローチャート。
【図１１】第３の実施形態に係る携帯端末１０２において実行されるデータ取得制御の手順を示すフローチャート。
【図１２】第３の実施形態に係るＭＦＰ１０１において実行されるデータ取得制御の手順を示すフローチャート。
【発明を実施するための形態】
【００１１】
以下、本発明を実施するための形態について図面を用いて説明する。なお、以下の実施形態は特許請求の範囲に係る発明を限定するものでなく、また実施形態で説明されている特徴の組み合わせの全てが発明の解決手段に必須のものとは限らない。
【００１２】
［第１の実施形態］
図１乃至図８を参照して第１の実施形態について説明する。なお、図１乃至図６とそれらについての説明は、第１乃至第３の実施形態で共通である。
【００１３】
＜通信システムの構成＞
図１は、第１の実施形態に係る通信システムの構成例を示す図である。本通信システムでは、ＭＦＰ１０１とパーソナルコンピュータ（ＰＣ）１０６とが、有線ローカルエリアネットワーク（ＬＡＮ）１０４を介して接続され、ＭＦＰ１０１と携帯端末１０２とが、無線ＬＡＮ（Ｗｉ−Ｆｉ Ｄｉｒｅｃｔ接続１０３）を介して無線接続される。ＭＦＰ１０１と携帯端末１０２は、更に、ＮＦＣによって無線接続することも可能である。なお、ＭＦＰ１０１は、情報処理装置の一例であり、携帯端末１０２は、情報処理装置と通信可能な通信装置の一例である。
【００１４】
ＭＦＰ１０１及び携帯端末１０２は、近距離無線通信のための通信方式（第１通信方式）として、ＮＦＣに対応している。また、ＭＦＰ１０１及び携帯端末１０２は、ＮＦＣよりも高速な無線通信のための通信方式（第２通信方式）として、ＩＥＥＥ８０２．１１規格の無線ＬＡＮ方式、及び無線ＬＡＮ方式を使用する通信方式の１つであるＷｉ−Ｆｉ Ｄｉｒｅｃｔに対応している。
【００１５】
図１に示すように、ＭＦＰ１０１は、ＮＦＣに対応したＮＦＣタグ１０５を備え、携帯端末１０２等のＮＦＣに対応した外部装置と、ＮＦＣタグ１０５を介してＮＦＣ通信を行うことが可能である。なお、ＭＦＰ１０１は、公衆回線網を介したファクシミリ通信を行うことも可能である。
【００１６】
携帯端末１０２は、有線ＬＡＮ１０４上のアクセスポイント（図示せず）に対してＷＬＡＮ方式で接続することによって、ＭＦＰ１０１と通信することが可能である。また、携帯端末１０２は、アクセスポイントを介すことなく、ＭＦＰ１０１に対してＷｉ−Ｆｉ Ｄｉｒｅｃｔで接続（Ｗｉ−Ｆｉ Ｄｉｒｅｃｔ接続１０３）を行うことによって、ＭＦＰ１０１と直接通信することも可能である。
【００１７】
本実施形態では、ＭＦＰ１０１と携帯端末１０２とが、近距離無線通信としてＮＦＣで直接通信するとともに、高速無線通信としてＷｉ−Ｆｉ Ｄｉｒｅｃｔで直接通信する例について説明する。しかし、本実施形態は、ＭＦＰ１０１と携帯端末１０２とが、高速無線通信として、Ｗｉ−Ｆｉ Ｄｉｒｅｃｔではなく、ＷＬＡＮ方式でアクセスポイント（図示せず）を介して通信する場合にも同様に実現できる。
【００１８】
＜ＭＦＰの構成＞
図２は、本実施形態に係るＭＦＰ１０１のハードウェア構成例を示すブロック図である。ＭＦＰ１０１は、コントローラボード２００と、コントローラボード２００に接続された、スキャナ２０９、プリンタエンジン２０７、操作パネル２１２及びＮＦＣアンテナ２１４とを備える。コントローラボード２００は、コントローラボード２００に接続されている各デバイスを制御することで、ＭＦＰ１０１において印刷、スキャン、コピー、ＦＡＸ等の、種々の機能を実現する。
【００１９】
スキャナ２０９は、原稿台ガラス上に置かれた原稿の画像を読み取って得られた画像データを出力する。プリンタエンジン２０７は、入力された画像データ（印刷データ）に基づく画像を用紙に印刷（画像形成）する。操作パネル２１２は、液晶表示部等の表示部と、ハードキー、表示部上に配置されたタッチパネル等の操作部とを備える。ユーザは、操作パネル２１２を用いることで、ＭＦＰ１０１に対する種々の設定及び指示を行うことが可能である。また、ＭＦＰ１０１は、操作パネル２１２を介してユーザに対する種々の表示を行うことが可能である。
【００２０】
コントローラボード２００は、システムバス２１９に接続されたデバイスとして、ＣＰＵ２０１、ＲＡＭ２０２、ＲＯＭ２０３、記憶装置２０４、画像処理部２０５、エンジンＩ／Ｆ２０６、スキャナＩ／Ｆ２０８、無線ＬＡＮ Ｉ／Ｆ２１０、ＮＦＣコントローラ２１３、ＵＳＢ Ｉ／Ｆ２１５、ネットワークＩ／Ｆ２１７、及びＦＡＸＩ／Ｆ２１８を備える。ＮＦＣコントローラ２１３は、ＮＦＣ用のアンテナ（ＮＦＣアンテナ）２１４と接続されており、ＮＦＣアンテナ２１４とともにＮＦＣタグ１０５を構成する。
【００２１】
ＣＰＵ２０１は、システムバス２１９を介して接続された各デバイスを制御することによって、ＭＦＰ１０１全体を制御する。ＲＡＭ２０２は、ＣＰＵ２０１が動作するためのシステムワークメモリであり、ＣＰＵ２０１が使用する演算データ及び各種プログラムが格納される。また、ＲＡＭ２０２は、印刷、スキャン等の実行時に画像処理部２０５によって種々の画像処理が施された画像データを保持する画像メモリとしても利用される。ＲＯＭ２０３は、ブートＲＯＭであり、ＭＦＰ１０１のブートプログラムが格納される。記憶装置２０４は、不揮発性の記憶装置であり、プログラム及びデータの保存のために用いられる。ＣＰＵ２０１は、記憶装置２０４に保存されているプログラム及びデータを、必要に応じてＲＡＭ２０２に読み出して使用する。
【００２２】
ＵＳＢ Ｉ／Ｆ２１５は、ＰＣ２１６とローカル接続されており、ＰＣ２１６と直接通信可能である。ネットワークＩ／Ｆ２１７は、ＬＡＮ１０４に接続されており、ＬＡＮ１０４に接続されたＰＣ１０６と通信可能である。ＦＡＸ Ｉ／Ｆ２１８は、公衆回線網１０８と接続されており、公衆回線網１０８に接続されたＦＡＸ装置１０９とＦＡＸ通信を行うことが可能である。
【００２３】
ＣＰＵ２０１は、エンジンＩ／Ｆ２０６を介してプリンタエンジン２０７と、スキャナＩ／Ｆ２０８を介してスキャナ２０９とデータ通信を行う。また、ＣＰＵ２０１は、システムバス２１９を介して操作パネル２１２とデータ通信を行う。また、ＣＰＵ２０１は、ＵＳＢ Ｉ／Ｆ２１５を介してＰＣ２１６と、ネットワークＩ／Ｆ２１７を介してＰＣ１０６と、ＦＡＸ Ｉ／Ｆ２１８を介してＦＡＸ装置１０９と通信可能である。
【００２４】
無線ＬＡＮ Ｉ／Ｆ２１０は、無線ＬＡＮ（ＷＬＡＮ）用のアンテナ２１１と接続されている。無線ＬＡＮ Ｉ／Ｆ２１０は、アンテナ２１１を介して、無線ＬＡＮ方式またはＷｉ−Ｆｉ Ｄｉｒｅｃｔによる通信を行う。例えば、無線ＬＡＮ Ｉ／Ｆ２１０は、アンテナ２１１を介して、アクセスポイントと無線ＬＡＮ方式の通信、または携帯端末１０２等の外部装置とＷｉ−Ｆｉ Ｄｉｒｅｃｔによる直接通信（Ｗｉ−Ｆｉ Ｄｉｒｅｃｔ通信）を行うことが可能である。ＣＰＵ２０１は、無線ＬＡＮ Ｉ／Ｆ２１０を介して、携帯端末１０２等の外部装置と通信可能である。
【００２５】
ＮＦＣコントローラ２１３は、ＮＦＣアンテナ２１４を介して、携帯端末１０２等の、ＮＦＣに対応した外部装置とＮＦＣ通信を行う。ＣＰＵ２０１は、ＮＦＣコントローラ２１３及びＮＦＣアンテナ２１４を介して、携帯端末１０２等の、ＮＦＣに対応した外部装置とＮＦＣにより通信可能である。なお本実施形態で、ＮＦＣコントローラ２１３は、第１通信手段の一例として機能し、ＣＰＵ２０１及び無線ＬＡＮ Ｉ／Ｆ２１０は、第２通信手段の一例として機能する。
【００２６】
＜携帯端末の構成＞
図３は、携帯端末１０２のハードウェア構成例を示すブロック図である。携帯端末１０２は、コントローラボード３００と、コントローラボード３００に接続された、表示部３０６、タッチパネル３０８、ハードキー３０９、及びＮＦＣアンテナ３１４とを備える。コントローラボード３００は、コントローラボード３００に接続されている各デバイスを制御することで、携帯端末１０２において種々の機能を実現する。コントローラボード３００は、ＣＰＵ３０１、ＲＡＭ３０２、ＲＯＭ３０３、記憶装置３０４、表示コントローラ３０５、操作部コントローラ３０７、無線ＬＡＮ Ｉ／Ｆ３１０、通話部３１２、及びＮＦＣコントローラ３１３を備える。
【００２７】
ＣＰＵ３０１は、システムバス３１５を介して接続された各デバイスを制御することによって、携帯端末１０２全体を制御する。ＲＡＭ３０２は、ＣＰＵ３０１が動作するためのシステムワークメモリであり、ＣＰＵ３０１が使用する演算データ及び各種プログラムが格納される。ＲＯＭ３０３は、ブートＲＯＭであり、携帯端末１０２のブートプログラムが格納される。記憶装置３０４は、不揮発性の記憶装置であり、プログラム及びデータの保存のために用いられる。ＣＰＵ３０１は、記憶装置３０４に保存されているプログラム及びデータを、必要に応じてＲＡＭ３０２に読み出して使用する。
【００２８】
表示コントローラ３０５は、ＣＰＵ３０１からの指示に応じて表示部３０６の表示を制御する。操作部コントローラ３０７は、タッチパネル３０８及びハードキー３０９を制御し、タッチパネル３０８及びハードキー３０９に対するユーザの操作内容を示す信号を、システムバス３１５を介してＣＰＵ３０１に送信する。通話部３１２は、マイク及びスピーカ（図示せず）と接続されており、３ＧネットワークやＬＴＥネットワーク等のモバイルネットワークの基地局と通信することによって、携帯端末１０２の電話機能を提供する。
【００２９】
無線ＬＡＮ Ｉ／Ｆ３１０は、ＷＬＡＮ用のアンテナ３１１と接続されている。無線ＬＡＮ Ｉ／Ｆ３１０は、アンテナ３１１を介して、無線ＬＡＮ方式またはＷｉ−Ｆｉ Ｄｉｒｅｃｔによる通信を行う。例えば、無線ＬＡＮ Ｉ／Ｆ３１０は、アンテナ３１１を介して、アクセスポイントと無線ＬＡＮ方式の通信、またはＭＦＰ１０１等の外部装置とＷｉ−Ｆｉ Ｄｉｒｅｃｔ通信を行うことが可能である。ＣＰＵ３０１は、無線ＬＡＮ Ｉ／Ｆ３１０を介して、ＭＦＰ１０１等の外部装置と通信可能である。
【００３０】
ＮＦＣコントローラ３１３は、ＮＦＣアンテナ３１４を介して、ＭＦＰ１０１等の、ＮＦＣに対応した外部装置とＮＦＣ通信を行う。ＣＰＵ３０１は、ＮＦＣコントローラ３１３及びＮＦＣアンテナ３１４を介して、ＭＦＰ１０１等の、ＮＦＣに対応した外部装置とＮＦＣにより通信可能である。
【００３１】
＜携帯端末によるデータ取得制御＞
本実施形態では、携帯端末１０２は、ユーザに対して、ＭＦＰ１０１から取得すべき少なくとも１つのデータ項目を指定するためのユーザインタフェース（ＵＩ）を提供する。具体的には、ＣＰＵ３０１は、以下で説明するＭＦＰ連携アプリケーションを実行することによって、図４乃至図６に示すような操作画面を表示部３０６に表示する。これにより、ＣＰＵ３０１は、ユーザがタッチパネル３０８を用いてデータ項目を指定できるようにする。ＣＰＵ３０１は、タッチパネル３０８を用いたユーザの指定に従って、ＭＦＰ１０１から取得すべき少なくとも１つのデータ項目を指定する。
【００３２】
その後、ユーザが携帯端末１０２をＭＦＰ１０１（ＮＦＣタグ１０５）に近づけることよって、携帯端末１０２とＭＦＰ１０１（ＮＦＣタグ１０５）が近接した状態になると、ＮＦＣコントローラ３１３は、ＮＦＣタグ１０５との間でＮＦＣ通信を確立する。これにより、ＣＰＵ３０１は、ＭＦＰ１０１にＷｉ−Ｆｉ Ｄｉｒｅｃｔで接続するための接続情報（ＭＦＰ１０１のＳＳＩＤや暗号化キー等）をＮＦＣ通信によって取得する。更に、ＣＰＵ３０１は、取得した接続情報に基づいてＷｉ−Ｆｉ ＤｉｒｅｃｔでＭＦＰ１０１に接続し、ユーザの指示に従って指定したデータ項目に対応するデータを、Ｗｉ−Ｆｉ Ｄｉｒｅｃｔ通信によってＭＦＰ１０１から取得する。
【００３３】
このように本実施形態では、携帯端末１０２において、ユーザの指定したデータを、ＮＦＣ通信に基づいて確立したＷｉ−Ｆｉ Ｄｉｒｅｃｔ通信によってＭＦＰ１０１から取得できるようにする。これにより、Ｗｉ−Ｆｉ Ｄｉｒｅｃｔ通信によって携帯端末１０２がＭＦＰ１０１から取得可能なデータについての指定（選択）の自由度を高めることができ、ユーザビリティを向上させることが可能である。
【００３４】
＜ＭＦＰ連携アプリケーションの動作例＞
次に、図４乃至図６を参照して、携帯端末１０２上で動作するＭＦＰ連携アプリケーションの動作例、及び当該アプリケーションの操作画面の例について説明する。携帯端末１０２のユーザは、表示部３０６に表示されるメニューまたはボタンに対する操作（メニューのスクロール、ボタンの押下等の操作）を、タッチパネル３０８を操作することによって行うことができる。
【００３５】
ユーザが携帯端末１０２のタッチパネル３０８を操作してＭＦＰ連携アプリケーションを立ち上げると、操作画面４００（図４）が表示部３０６に表示される。具体的には、ＣＰＵ３０１は、ユーザ操作に応じて、記憶装置３０４またはＲＯＭ３０３に格納されているＭＦＰ連携アプリケーションをＲＡＭ３０２に読み出して実行することで、ＭＦＰ連携アプリケーションを携帯端末１０２上で動作させる。これにより、ＣＰＵ３０１は、表示コントローラ３０５を制御して、表示部３０６に操作画面４００を表示させる。ＣＰＵ３０１は、タッチパネル３０８に対するユーザの操作に応じて、以下で説明するように、表示部３０６の表示制御及びＭＦＰ１０１からのデータの取得制御を行う。
【００３６】
操作画面４００（図４）は、ＭＦＰ連携アプリケーションの起動時に表示部３０６に表示される操作画面（トップ画面）の一例である。操作画面４００には、ＭＦＰ１０１から取得可能なデータ項目４０１〜４０４が、タッチパネル３０８に対する操作によって指定（選択）可能な状態で表示される。なお、図４に示すデータ項目４０１〜４０４は一例にすぎず、ＭＦＰ１０１における履歴情報、設定情報、アドレス帳情報等の、任意の情報を指定可能にしうる。
【００３７】
（１つのデータ項目が選択される場合）
操作画面４００が表示部３０６に表示された状態で、ユーザがデータ項目４０１〜４０４のいずれかを選択してＯＫボタン４０５を押下すると、表示部３０６の表示は操作画面４００から操作画面５００（図４）に切り替わる。操作画面５００には、操作画面４００を用いて選択された、取得対象のデータ項目５０１と、携帯端末１０２を（ＭＦＰ１０１の）ＮＦＣタグ１０５に近づけるよう促すメッセージ５０２とが表示される。
【００３８】
操作画面５００が表示部３０６に表示された状態で、携帯端末１０２がＮＦＣタグ１０５の通信可能な範囲内に近づけられると、携帯端末１０２とＮＦＣタグ１０５との間でＮＦＣ通信が確立される。これにより、携帯端末１０２は、ＭＦＰ１０１に対してＷｉ−Ｆｉ Ｄｉｒｅｃｔで接続するための接続情報を、ＮＦＣ通信によりＮＦＣタグ１０５から受信する。その後、携帯端末１０２が、受信した接続情報に基づいてＭＦＰ１０１に対するＷｉ−Ｆｉ Ｄｉｒｅｃｔ接続を開始すると、表示部３０６の表示は操作画面６００（図４）に切り替わる。操作画面６００には、ＭＦＰ１０１に対するＷｉ−Ｆｉ Ｄｉｒｅｃｔ接続を実行中であることを示すメッセージ６０１が表示される。
【００３９】
携帯端末１０２とＭＦＰ１０１との間のＷｉ−Ｆｉ Ｄｉｒｅｃｔ接続が完了すると、携帯端末１０２は、Ｗｉ−Ｆｉ Ｄｉｒｅｃｔ通信によるＭＦＰ１０１からのデータの取得を開始する。その際、表示部３０６の表示は操作画面７００（図４）に切り替わる。操作画面７００には、取得対象のデータ項目５０１に対応するデータをＭＦＰ１０１から取得中であることを示すメッセージ７０１が表示される。ＭＦＰ１０１からのデータの取得が完了すると、表示部３０６の表示は操作画面８００（図５）に切り替わる。
【００４０】
操作画面８００には、ＭＦＰ１０１からデータの取得が完了したことを示すメッセージ８０１と、ＯＫボタン８０２とが表示される。操作画面８００においてＯＫボタン８０２がユーザによって押下されると、表示部３０６の表示は操作画面９００（図５）に切り替わる。操作画面９００は、ＭＦＰ１０１から追加として取得するデータがあるか否かをユーザが選択するための画面である。操作画面９００において、「はい」ボタン９０１がユーザによって押下された場合、表示部３０６の表示は操作画面４００（図４）に切り替わる。一方、「いいえ」ボタン９０２がユーザによって押下された場合、携帯端末１０２は、ＭＦＰ連携アプリケーションの実行を終了する。
【００４１】
一方、ＭＦＰ１０１からデータを取得できなかった場合、表示部３０６の表示は操作画面７００から操作画面１０００（図５）に切り替わる。操作画面１０００には、ＭＦＰ１０１からデータを取得できなかったことを示すメッセージ１００１と、ＯＫボタン１００２とが表示される。操作画面１０００においてＯＫボタン１００２がユーザによって押下されると、表示部３０６の表示は操作画面４００（図４）に切り替わる。
【００４２】
（複数のデータ項目が選択される場合）
操作画面１１００（図５）は、操作画面４００においてユーザがデータ項目４０１〜４０４のうちの複数のデータ項目を選択した場合の画面表示例に相当する。操作画面１１００においてＯＫボタン４０５がユーザによって押下されると、表示部３０６の表示は操作画面１２００（図６）に切り替わる。操作画面１２００には、取得対象のデータ項目１２０１，１２０２と、携帯端末１０２を（ＭＦＰ１０１の）ＮＦＣタグ１０５に近づけるよう促すメッセージ１２０３とが表示される。
【００４３】
操作画面１２００が表示部３０６に表示された状態で、携帯端末１０２がＮＦＣタグ１０５の通信可能な範囲内に近づけられると、携帯端末１０２とＮＦＣタグ１０５との間でＮＦＣ通信が確立される。これにより、携帯端末１０２は、ＭＦＰ１０１に対してＷｉ−Ｆｉ Ｄｉｒｅｃｔで接続するための接続情報を、ＮＦＣ通信によりＮＦＣタグ１０５から受信する。その後、携帯端末１０２が、受信した接続情報に基づいてＭＦＰ１０１に対するＷｉ−Ｆｉ Ｄｉｒｅｃｔ接続を開始すると、表示部３０６の表示は操作画面１３００（図６）に切り替わる。操作画面１３００には、ＭＦＰ１０１に対するＷｉ−Ｆｉ Ｄｉｒｅｃｔ接続を実行中であることを示すメッセージ１３０１が表示される。
【００４４】
携帯端末１０２とＭＦＰ１０１との間のＷｉ−Ｆｉ Ｄｉｒｅｃｔ接続が完了すると、携帯端末１０２は、Ｗｉ−Ｆｉ Ｄｉｒｅｃｔ通信によるＭＦＰ１０１からのデータの取得を開始する。その際、表示部３０６の表示は操作画面１４００（図６）に切り替わる。操作画面１４００には、取得対象のデータ項目１２０１，１２０２に対応するデータの取得状況を示すメッセージ１４０１が表示される。ＭＦＰ１０１からのデータの取得が完了すると、表示部３０６の表示は操作画面１５００（図６）に切り替わる。
【００４５】
操作画面１５００には、ＭＦＰ１０１からデータの取得が完了したことを示すメッセージ１５０１と、ＯＫボタン１５０２とが表示される。操作画面１５００においてＯＫボタン１５０２が押下されると、表示部３０６の表示は操作画面９００（図５）に切り替わる。一方、ＭＦＰ１０１からデータを取得できなかった場合、表示部３０６の表示は操作画面１４００から操作画面１０００（図５）に切り替わる。
【００４６】
＜データ取得制御の手順＞
図７及び図８はそれぞれ、本実施形態に係る携帯端末１０２及びＭＦＰ１０１において実行されるデータ取得制御の手順を示すフローチャートである。図７に示す各ステップの処理は、携帯端末１０２のＣＰＵ３０１が記憶装置３０４またはＲＯＭ３０３に格納されたＭＦＰ連携アプリケーションをＲＡＭ３０２に読み出して実行することによって、携帯端末１０２において実現される。また、図８に示す各ステップの処理は、ＭＦＰ１０１のＣＰＵ２０１が記憶装置２０４またはＲＯＭ２０３に格納された制御プログラムをＲＡＭ２０２に読み出して実行することによって、ＭＦＰ１０１において実現される。なお、本実施形態では、携帯端末１０２がＭＦＰ１０１からデータを取得する場合について説明するが、ＰＣ等の情報処理装置からデータを取得する場合にも、図７及び図８に示す手順を同様に適用できる。
【００４７】
ＭＦＰ１０１において主電源が起動すると、ＣＰＵ２０１は、まずＳ１５１で、ＭＦＰ１０１にＷｉ−Ｆｉ Ｄｉｒｅｃｔで接続するための接続情報（Ｗｉ−Ｆｉ Ｄｉｒｅｃｔ接続情報）を、ＮＦＣタグ１０５に書き込む。当該接続情報は、上述のように、ＭＦＰ１０１のＳＳＩＤや暗号化キー等である。ＮＦＣタグ１０５は、ＮＦＣ通信によって外部装置からの情報の読み取り及び書き込みが可能な記憶領域を有しており、ＣＰＵ２０１は、Ｗｉ−Ｆｉ Ｄｉｒｅｃｔ接続情報を当該記憶領域に格納する。その後、ＣＰＵ２０１は、Ｓ１５２において外部装置からのＷｉ−Ｆｉ Ｄｉｒｅｃｔ接続要求を待ち受ける。
【００４８】
一方、携帯端末１０２で、ユーザがタッチパネル３０８を操作してＭＦＰ連携アプリケーションの起動を指示すると、ＣＰＵ３０１は、Ｓ１０１で、ＭＦＰ連携アプリケーションを起動する。ＣＰＵ３０１は、記憶装置３０４またはＲＯＭ３０３に格納されているＭＦＰ連携アプリケーションをＲＡＭ３０２に読み出して実行を開始することによって、当該アプリケーションを起動する。これにより、表示部３０６には操作画面４００（図４）が表示される。
【００４９】
操作画面４００を用いて、ＭＦＰ１０１から取得すべきデータ項目の選択がユーザによって指示されると、Ｓ１０２で、ＣＰＵ３０１は、ユーザの指示に従って、ＭＦＰ１０１から取得すべきデータ項目を選択（指定）する。その後、ＣＰＵ３０１は、処理をＳ１０３に進める。
【００５０】
本実施形態では、携帯端末１０２は、ＮＦＣコントローラ３１３が有するＮＦＣリーダ機能を利用してＷｉ−Ｆｉ Ｄｉｒｅｃｔ接続情報をＮＦＣタグ１０５（の記憶領域）から読み取ることによって、ＭＦＰ１０１から取得する。具体的には、Ｓ１０３で、ＣＰＵ３０１は、ＮＦＣコントローラ３１３をリーダモードに設定する。なお、ＮＦＣコントローラ３１３は、ＮＦＣの通信モードとして、ライタモード（第１通信モード）、リーダモード（第２通信モード）、及びピアツーピア（Ｐ２Ｐ）モード（第３通信モード）の３つの通信モードで動作可能である。ライタモードは、外部装置へのデータの送信（書き込み）のみが可能な通信モードである。リーダモードは、外部装置からのデータの受信（読み取り）のみが可能な通信モードである。Ｐ２Ｐモードは、外部装置との間でデータの送受信（双方向の通信）が可能な通信モードである。
【００５１】
次に、Ｓ１０４で、ＣＰＵ３０１は、携帯端末１０２がユーザによってＭＦＰ１０１のＮＦＣタグ１０５に近づけられることによって、ＮＦＣコントローラ３１３がＮＦＣタグ１０５との間でＮＦＣ通信を確立したか否かを判定する。ＮＦＣ通信が確立したと判定すると（Ｓ１０４で「ＹＥＳ」）、ＣＰＵ３０１は、次にＳ１０５で、Ｗｉ−Ｆｉ Ｄｉｒｅｃｔ接続情報を、ＮＦＣ通信によってＮＦＣタグ１０５から読み取る。更に、Ｓ１０６で、ＣＰＵ３０１は、ＮＦＣタグ１０５から読み取った接続情報に基づいて、Ｗｉ−Ｆｉ Ｄｉｒｅｃｔ接続要求をＭＦＰ１０１に送信し、処理をＳ１０７に進める。
【００５２】
ＭＦＰ１０１では、ＣＰＵ２０１は、Ｓ１５２で、外部装置からＷｉ−Ｆｉ Ｄｉｒｅｃｔ接続要求を受信したか否かを判定する。携帯端末１０２からＷｉ−Ｆｉ Ｄｉｒｅｃｔ接続要求を受信すると（Ｓ１５２で「ＹＥＳ」）、ＣＰＵ２０１は、次にＳ１５３で、受信した接続要求に対する応答を送信し、処理をＳ１５４に進める。これにより、携帯端末１０２とＭＦＰ１０１との間でＷｉ−Ｆｉ Ｄｉｒｅｃｔ接続が完了し、Ｗｉ−Ｆｉ Ｄｉｒｅｃｔ通信が可能となる。
【００５３】
携帯端末１０２では、Ｓ１０７で、ＣＰＵ３０１は、Ｗｉ−Ｆｉ Ｄｉｒｅｃｔ接続が完了したか否かを判定する。Ｗｉ−Ｆｉ Ｄｉｒｅｃｔ接続要求に対する応答をＭＦＰ１０１から受信したことによってＷｉ−Ｆｉ Ｄｉｒｅｃｔ接続が完了すると（Ｓ１０７で「ＹＥＳ」）、ＣＰＵ３０１は、処理をＳ１０８に進める。Ｓ１０８で、ＣＰＵ３０１は、Ｓ１０２において選択したデータ項目に対応するデータを要求するためのデータ要求を、Ｗｉ−ＦｉＤｉｒｅｃｔ通信によってＭＦＰ１０１に送信し、処理をＳ１０９に進める。なお、Ｓ１０２において複数のデータ項目を選択した場合、ＣＰＵ３０１は、選択した全てのデータ項目に対応するデータを要求するためのデータ要求を送信する。
【００５４】
ＭＦＰ１０１では、Ｓ１５４で、ＣＰＵ２０１は、携帯端末１０２からデータ要求を受信したか否かを判定する。データ要求を受信したと判定すると（Ｓ１５４で「ＹＥＳ」）、Ｓ１５５で、ＣＰＵ２０１は、携帯端末１０２から受信したデータ要求に従って、要求されたデータ項目に対応するデータを、Ｗｉ−Ｆｉ Ｄｉｒｅｃｔ通信によって携帯端末１０２に送信する。その後、ＣＰＵ２０１は、処理をＳ１５６に進める。なお、複数のデータ項目に対応するデータが要求された場合、要求された全てのデータを携帯端末１０２に送信する。
【００５５】
携帯端末１０２では、Ｓ１０９で、ＣＰＵ３０１は、Ｓ１０８において要求したデータをＭＦＰ１０１から受信したか否かを判定し、受信したと判定すると（Ｓ１０９で「ＹＥＳ」）、処理をＳ１１０に進める。なお、例えば通信状態の劣化に起因してＷｉ−ＦｉＤｉｒｅｃｔ接続が切断され、ＭＦＰ１０１からデータを受信できなかった場合、ＣＰＵ３０１は、操作画面１０００を表示部３０６に表示し、図７に示すフローチャートに従った処理を終了しうる。
【００５６】
Ｓ１１０で、ＣＰＵ３０１は、追加のデータ要求があるか否かを判定する。ここで、ＣＰＵ３０１は、操作画面９００でボタン９０１が押下されると、追加のデータ要求があると判定し（Ｓ１１０で「ＹＥＳ」）、処理をＳ１１１に進める。一方、ＣＰＵ３０１は、操作画面９００でボタン９０２が押下されると、追加のデータ要求がないと判定し（Ｓ１１０で「ＮＯ」）、処理をＳ１１３に進める。
【００５７】
追加のデータをＭＦＰ１０１から取得する場合（Ｓ１１０で「ＹＥＳ」）、ＣＰＵ３０１は、Ｓ１１１で、操作画面４００を介して追加のデータ項目の選択（指定）をユーザから受け付けることで、追加のデータ項目を選択する。更に、ＣＰＵ３０１は、Ｓ１１２で、Ｓ１１１において選択したデータ項目に対応するデータを要求するためのデータ要求を、Ｗｉ−ＦｉＤｉｒｅｃｔ通信によってＭＦＰ１０１に送信し、処理をＳ１０９に進める。これにより、ＣＰＵ３０１は、追加のデータ項目に対応するデータを、Ｗｉ−ＦｉＤｉｒｅｃｔ通信によってＭＦＰ１０１から取得する。
【００５８】
一方、追加のデータをＭＦＰ１０１から取得しない場合（Ｓ１１０で「ＮＯ」）、ＣＰＵ３０１は、Ｓ１１３で、ＭＦＰ１０１との間のＷｉ−ＦｉＤｉｒｅｃｔ接続を切断し、Ｓ１１４で、ＭＦＰ連携アプリケーションを終了する。その後、ＣＰＵ３０１は、図７に示すフローチャートに従った処理を終了する。
【００５９】
ＭＦＰ１０１では、Ｓ１５６で、ＣＰＵ２０１は、携帯端末１０２から追加のデータ要求を受信したか否かを判定する。追加のデータ要求を受信したと判定すると（Ｓ１５６で「ＹＥＳ」）、ＣＰＵ２０１は、処理をＳ１５５に戻す。Ｓ１５５で、ＣＰＵ２０１は、携帯端末１０２から受信したデータ要求に従って、要求されたデータ項目に対応するデータを、Ｗｉ−Ｆｉ Ｄｉｒｅｃｔ通信によって携帯端末１０２に送信する。一方、追加のデータ要求を受信していないと判定すると（Ｓ１５６で「ＮＯ」）、ＣＰＵ２０１は、処理をＳ１５６からＳ１５７に進める。
【００６０】
Ｓ１５７で、ＣＰＵ２０１は、携帯端末１０２との間のＷｉ−ＦｉＤｉｒｅｃｔ接続を切断し、処理をＳ１５２に戻す。Ｓ１５２では、ＣＰＵ２０１は、再び外部装置からのＷｉ−Ｆｉ Ｄｉｒｅｃｔ接続要求を待ち受ける。
【００６１】
以上説明したように、本実施形態では、携帯端末１０２において、ユーザの指定したデータを、ＮＦＣ通信に基づいて確立したＷｉ−Ｆｉ Ｄｉｒｅｃｔ通信によってＭＦＰ１０１から取得できるようにする。これにより、Ｗｉ−Ｆｉ Ｄｉｒｅｃｔ通信によってＭＦＰ１０１から取得すべきデータをユーザが自由に指定することが可能になるため、ユーザビリティを向上させることが可能である。また、本実施形態では、ＭＦＰ１０１のＮＦＣタグ１０５に予めＷｉ−Ｆｉ Ｄｉｒｅｃｔ接続情報を格納しておくことで、携帯端末１０２は、ＮＦＣ通信によってＮＦＣタグ１０５から当該接続情報を取得できる。これにより、携帯端末１０２とＭＦＰ１０１との間のＷｉ−Ｆｉ Ｄｉｒｅｃｔ接続と、ＭＦＰ１０１からデータの取得とを、ユーザが携帯端末１０２をＭＦＰ１０１（ＮＦＣタグ１０５）に近づけるだけで実現できる。したがって、本実施形態によれば、ユーザの簡易な動作によって、ＭＦＰ１０１からのデータの取得を実現できる。
【００６２】
なお、本実施形態では、携帯端末１０２がＭＦＰ１０１に対して高速無線通信としてＷｉ−Ｆｉ Ｄｉｒｅｃｔで直接通信する場合について説明してきた。しかし、本実施形態は、高速無線通信として、Ｗｉ−Ｆｉ Ｄｉｒｅｃｔ通信に代えて、ＷＬＡＮ方式でアクセスポイントを介してＭＦＰ１０１と通信する場合にも同様に適用できる。この場合、ＭＦＰ１０１は、接続情報として、アクセスポイントにＷＬＡＮ方式で接続するための情報を、ＮＦＣ通信によって携帯端末１０２に提供する。また、携帯端末１０２（ＣＰＵ３０１）は、ＮＦＣ通信によってＭＦＰ１０１から取得した接続情報に基づいてアクセスポイントに接続することによって、当該アクセスポイントを介してＭＦＰ１０１と通信し、データをＭＦＰ１０１から取得する。また、本実施形態は、高速無線通信として、Ｂｌｕｅｔｏｏｔｈ（登録商標）通信を用いる場合にも同様に適用できる。
【００６３】
［第２の実施形態］
第１の実施形態では、携帯端末１０２は、ＮＦＣタグ１０５からＮＦＣ通信によって読み取ったＷｉ−Ｆｉ Ｄｉｒｅｃｔ接続情報に基づいて確立したＷｉ−Ｆｉ Ｄｉｒｅｃｔ通信によって、ＭＦＰ１０１へのデータ要求の送信を行う（Ｓ１０８）。これに対して、第２の実施形態では、データ要求の送信を、Ｗｉ−Ｆｉ Ｄｉｒｅｃｔ通信の確立前に、ＮＦＣ通信によって行う例について説明する。なお、説明の簡略化のため、第１の実施形態と共通する箇所に関する説明を省略するものとする。
【００６４】
図９及び図１０それぞれは、本実施形態に係る携帯端末１０２及びＭＦＰ１０１において実行されるデータ取得制御の手順を示すフローチャートである。図９に示す各ステップの処理は、携帯端末１０２のＣＰＵ３０１が記憶装置３０４またはＲＯＭ３０３に格納されたＭＦＰ連携アプリケーションをＲＡＭ３０２に読み出して実行することによって、携帯端末１０２において実現される。また、図１０に示す各ステップの処理は、ＭＦＰ１０１のＣＰＵ２０１が記憶装置２０４またはＲＯＭ２０３に格納された制御プログラムをＲＡＭ２０２に読み出して実行することによって、ＭＦＰ１０１において実現される。なお、本実施形態では、第１の実施形態と同様、携帯端末１０２がＭＦＰ１０１からデータを取得する場合について説明するが、ＰＣ等の情報処理装置からデータを取得する場合にも、図９及び図１０に示す手順を同様に適用できる。
【００６５】
図９及び図１０では、第１の実施形態と同様の処理を行うステップについては、図７及び図８と同様の参照符号を使用している。図９において第１の実施形態（図７）と異なる点は、Ｓ１０３及びＳ１０４がＳ２０１〜Ｓ２０４に置き換えられている点、及びＳ１０８が削除されている点である。また、図１０において第１の実施形態（図８）と異なる点は、Ｓ１５４がＳ２５１に置き換えられている点である。
【００６６】
より具体的には、携帯端末１０２では、第１の実施形態と同様にＳ１０２においてＭＦＰ１０１から取得すべきデータ項目を選択（指定）した後、ＣＰＵ３０１は、処理をＳ２０１に進める。本実施形態では、携帯端末１０２は、ＮＦＣコントローラ３１３が有するＮＦＣライタ機能を利用して、選択したデータ項目に対応するデータを要求するためのデータ要求を、ＭＦＰ１０１のＮＦＣタグ１０５に書き込む。これにより、携帯端末１０２は、ＭＦＰ１０１に対するデータ要求を行う。
【００６７】
Ｓ２０１で、ＣＰＵ３０１は、ＮＦＣコントローラ３１３をライタモードに設定する。ライタモードは、上述のように、外部装置へのデータの送信（書き込み）のみが可能な通信モードである。次に、Ｓ２０２で、ＣＰＵ３０１は、携帯端末１０２がユーザによってＭＦＰ１０１のＮＦＣタグ１０５に近づけられることによって、ＮＦＣコントローラ３１３がＮＦＣタグ１０５との間でＮＦＣ通信を確立したか否かを判定する。ＮＦＣ通信が確立したと判定すると（Ｓ２０２で「ＹＥＳ」）、ＣＰＵ３０１は、次にＳ２０３で、Ｓ１０２において選択したデータ項目に対応するデータを要求するためのデータ要求を、ＮＦＣ通信によってＮＦＣタグ１０５（の記憶領域）に書き込む。
【００６８】
その後、ＣＰＵ３０１は、Ｓ２０４で、ＮＦＣコントローラ３１３をリーダモードに切り替えることで、第１の実施形態と同様、ＮＦＣ通信によってＮＦＣタグ１０５からＷｉ−Ｆｉ Ｄｉｒｅｃｔ接続情報を読み取れるようにする（Ｓ１０５）。本実施形態では、ＣＰＵ３０１は、ＮＦＣタグ１０５から読み取ったＷｉ−Ｆｉ Ｄｉｒｅｃｔ接続情報に基づいて、ＭＦＰ１０１との間でＷｉ−Ｆｉ Ｄｉｒｅｃｔ接続を完了すると（Ｓ１０７で「ＹＥＳ」）、処理をＳ１０９に進める。即ち、ＮＦＣ通信によってＭＦＰ１０１にデータ要求を送信済み（ＮＦＣタグ１０５にデータ要求を書き込み済み）であるため、ＣＰＵ３０１は、初回のデータ要求の送信をＷｉ−Ｆｉ Ｄｉｒｅｃｔ通信によって行わない。
【００６９】
Ｓ１０９以降では、第１の実施形態と同様、携帯端末１０２は、データ要求に対応するデータをＭＦＰ１０１から取得するとともに、必要に応じて、追加のデータ要求をＭＦＰ１０１に送信することで、追加のデータをＭＦＰ１０１から取得する。
【００７０】
一方、ＭＦＰ１０１では、ＣＰＵ２０１は、携帯端末１０２との間でＷｉ−Ｆｉ Ｄｉｒｅｃｔ接続が完了し、Ｗｉ−Ｆｉ Ｄｉｒｅｃｔ通信が可能となると（Ｓ１５３）、処理をＳ１５３からＳ２５１に進める。Ｓ２５１で、ＣＰＵ２０１は、携帯端末１０２からＷｉ−Ｆｉ Ｄｉｒｅｃｔ通信によってデータ要求を受信するのではなく、携帯端末１０２によってＮＦＣタグ１０５（の記憶領域）に書き込まれたデータ要求を、ＮＦＣタグ１０５（の記憶領域）から読み取る。更に、Ｓ１５５で、ＣＰＵ２０１は、当該データ要求に従って、要求されたデータ項目に対応するデータを、Ｗｉ−Ｆｉ Ｄｉｒｅｃｔ通信によって携帯端末１０２に送信し、処理をＳ１５６に進める。
【００７１】
Ｓ１５６以降では、第１の実施形態と同様、必要に応じて、携帯端末１０２からの追加のデータ要求に従って、追加のデータをＷｉ−Ｆｉ Ｄｉｒｅｃｔ通信によってＭＦＰ１０１に送信する。
【００７２】
以上説明したように、本実施形態では、携帯端末１０２からＭＦＰ１０１へのデータ要求の送信を、Ｗｉ−Ｆｉ Ｄｉｒｅｃｔ通信の確立前に、ＮＦＣライタ機能を利用してＮＦＣタグ１０５に書き込むことによって行う。これにより、ＭＦＰ１０１は、Ｗｉ−Ｆｉ Ｄｉｒｅｃｔ通信によるデータ要求の受信を待つことなくＮＦＣタグ１０５からデータ要求を取得できる。したがって、ＭＦＰ１０１において初回のデータ要求に対応するデータの送信の開始タイミングをより早めることが可能である。
【００７３】
［第３の実施形態］
第３の実施形態では、第２の実施形態に対する変形例として、携帯端末１０２からＭＦＰ１０１へのデータ要求の送信を、ＮＦＣライタ機能に代えてＮＦＣのＰ２Ｐ機能を利用して行う例について説明する。また、本実施形態では、Ｗｉ−Ｆｉ Ｄｉｒｅｃｔ接続情報についても、ＮＦＣのＰ２Ｐ機能を利用して、ＭＦＰ１０１から携帯端末１０２に送信する。なお、説明の簡略化のため、第１及び第２の実施形態と共通する箇所に関する説明を省略するものとする。
【００７４】
図１１及び図１２それぞれは、本実施形態に係る携帯端末１０２及びＭＦＰ１０１において実行されるデータ取得制御の手順を示すフローチャートである。図１１に示す各ステップの処理は、携帯端末１０２のＣＰＵ３０１が記憶装置３０４またはＲＯＭ３０３に格納されたＭＦＰ連携アプリケーションをＲＡＭ３０２に読み出して実行することによって、携帯端末１０２において実現される。また、図１２に示す各ステップの処理は、ＭＦＰ１０１のＣＰＵ２０１が記憶装置２０４またはＲＯＭ２０３に格納された制御プログラムをＲＡＭ２０２に読み出して実行することによって、ＭＦＰ１０１において実現される。なお、本実施形態では、第１の実施形態と同様、携帯端末１０２がＭＦＰ１０１からデータを取得する場合について説明するが、ＰＣ等の情報処理装置からデータを取得する場合にも、図１１及び図１２に示す手順を同様に適用できる。
【００７５】
図１１及び図１２では、第１の実施形態と同様の処理を行うステップについては、図７及び図８と同様の参照符号を使用している。図１１において第１の実施形態（図７）と異なる点は、Ｓ１０３〜Ｓ１０５がＳ３０１〜Ｓ３０４に置き換えられている点、及びＳ１０８が削除されている点である。また、図１２において第１の実施形態（図８）と異なる点は、Ｓ１５１がＳ３５１〜Ｓ３５３に置き換えられている点、及びＳ１５４が削除されている点である。
【００７６】
より具体的には、第１の実施形態と同様にＳ１０２においてＭＦＰ１０１から取得すべきデータ項目を選択（指定）した後、ＣＰＵ３０１は、処理をＳ３０１に進める。携帯端末１０２は、ＮＦＣコントローラ３１３が有するＮＦＣのＰ２Ｐ機能を利用して、選択したデータ項目に対応するデータを要求するためのデータ要求を、ＭＦＰ１０１に送信する。これにより、携帯端末１０２は、ＭＦＰ１０１に対するデータ要求を行う。更に、携帯端末１０２は、Ｐ２Ｐ機能を利用して、Ｗｉ−Ｆｉ Ｄｉｒｅｃｔ接続情報をＭＦＰ１０１から取得する。
【００７７】
Ｓ３０１で、ＣＰＵ３０１は、ＮＦＣコントローラ３１３をＰ２Ｐモードに設定する。Ｐ２Ｐモードは、上述のように、外部装置との間でデータの送受信（双方向の通信）が可能な通信モードである。次に、Ｓ３０２で、ＣＰＵ３０１は、携帯端末１０２がユーザによってＭＦＰ１０１のＮＦＣタグ１０５に近づけられることによって、ＮＦＣコントローラ３１３がＮＦＣタグ１０５との間で、Ｐ２ＰモードでＮＦＣ通信を確立したか否かを判定する。Ｐ２ＰモードでＮＦＣ通信が確立したと判定すると（Ｓ３０２で「ＹＥＳ」）、ＣＰＵ３０１は、処理をＳ３０３に進める。
【００７８】
なお、携帯端末１０２が、ＮＦＣタグ１０５（ＮＦＣコントローラ２１３）をＰ２Ｐモードへ切り替えるためのリクエストをＭＦＰ１０１に送信し、当該リクエストに対する応答をＭＦＰ１０１から受信することで、Ｐ２ＰモードでＮＦＣ通信が確立される。ＭＦＰ１０１は、携帯端末１０２から受信したリクエストに従って、ＮＦＣタグ１０５をＰ２Ｐモードに切り替える。
【００７９】
Ｓ３０３で、ＣＰＵ３０１は、Ｓ１０２において選択したデータ項目に対応するデータを要求するためのデータ要求を、ＮＦＣ通信よってＭＦＰ１０１に送信する。更に、ＣＰＵ３０１は、Ｓ３０４で、Ｗｉ−Ｆｉ Ｄｉｒｅｃｔ接続情報を、ＮＦＣ通信によってＭＦＰ１０１から受信したか否かを判定する。Ｗｉ−Ｆｉ Ｄｉｒｅｃｔ接続情報を受信したと判定すると（Ｓ３０４で「ＹＥＳ」）、ＣＰＵ３０１は、処理をＳ１０６に進める。Ｓ１０６以降の処理についは、第２の実施形態（図９）と同様である。
【００８０】
一方、ＭＦＰ１０１では、ＣＰＵ２０１は、ＮＦＣタグ１０５をＰ２Ｐモードへ切り替えるためのリクエストを携帯端末１０２から受信すると、ＮＦＣタグ１０５をＰ２Ｐモードに切り替えて、携帯端末１０２との間でＰ２ＰモードでＮＦＣ通信を確立する。Ｓ３５１で、ＭＦＰ１０１は、ＮＦＣタグ１０５（ＮＦＣコントローラ２１３）がＮＦＣコントローラ３１３との間で、Ｐ２ＰモードでＮＦＣ通信を確立したか否かを判定する。Ｐ２ＰモードでＮＦＣ通信が確立したと判定すると（Ｓ３５１で「ＹＥＳ」）、ＣＰＵ２０１は、処理をＳ３５２に進める。
【００８１】
Ｓ３５２で、ＣＰＵ２０１は、データ要求を、ＮＦＣ通信よって携帯端末１０２から受信したか否かを判定する。データ要求を受信したと判定すると（Ｓ３５２で「ＹＥＳ」）、ＣＰＵ２０１は、Ｓ３５３で、Ｗｉ−Ｆｉ Ｄｉｒｅｃｔ接続情報を、ＮＦＣ通信のよって携帯端末１０２に送信する。これにより、携帯端末１０２は、ＮＦＣ通信によって受信したＷｉ−Ｆｉ Ｄｉｒｅｃｔ接続情報に基づいて、ＭＦＰ１０１との間でＷｉ−Ｆｉ Ｄｉｒｅｃｔ通信を確立する（Ｓ１０７，Ｓ１５３）。更に、携帯端末１０２は、Ｓ３５２で受信したデータ要求に対応するデータを、Ｗｉ−Ｆｉ Ｄｉｒｅｃｔ通信によってＭＦＰ１０１から取得する（Ｓ１０９，Ｓ１５５）。このため、本実施形態では、ＭＦＰ１０１のＣＰＵ２０１は、Ｓ１５３の後、処理をＳ１５５に進めることで、初回のデータ要求の受信をＷｉ−Ｆｉ Ｄｉｒｅｃｔ通信によって行わない。
【００８２】
Ｓ１５６以降では、第１の実施形態と同様、必要に応じて、携帯端末１０２からの追加のデータ要求に従って、追加のデータをＷｉ−Ｆｉ Ｄｉｒｅｃｔ通信によってＭＦＰ１０１に送信する。なお、Ｓ１５７において携帯端末１０２との間のＷｉ−ＦｉＤｉｒｅｃｔ接続を切断すると、ＣＰＵ２０１は、処理をＳ３５１に戻す。
【００８３】
以上説明したように、本実施形態では、携帯端末１０２からＭＦＰ１０１へのデータ要求の送信を、Ｗｉ−Ｆｉ Ｄｉｒｅｃｔ通信の確立前に、ＮＦＣのＰ２Ｐ機能を利用してＮＦＣタグ１０５に送信することによって行う。これにより、ＭＦＰ１０１は、Ｗｉ−Ｆｉ Ｄｉｒｅｃｔ通信によるデータ要求の受信を待つことなくＮＦＣタグ１０５からデータ要求を取得できる。したがって、第２の実施形態と同様、ＭＦＰ１０１において初回のデータ要求に対応するデータの送信の開始タイミングをより早めることが可能である。
【００８４】
［その他の実施形態］
また、本発明は、以下の処理を実行することによっても実現される。即ち、上述した実施形態の機能を実現するソフトウェア（プログラム）を、ネットワークまたは各種記憶媒体を介してシステム或いは装置に供給し、そのシステム或いは装置のコンピュータ（またはＣＰＵやＭＰＵ等）がプログラムを読み出して実行する処理である。
【符号の説明】
【００８５】
１０１：ＭＦＰ、１０２：携帯端末、１０３：Ｗｉ−Ｆｉ Ｄｉｒｅｃｔ接続、１０５：ＮＦＣタグ、２０１，３０１：ＣＰＵ、２１０，３１０：無線ＬＡＮ Ｉ／Ｆ、２１３，３１３：ＮＦＣコントローラ
【図１】
2019054535.tif 000003
【図２】
2019054535.tif 000004
【図３】
2019054535.tif 000005
【図４】
2019054535.tif 000006
【図５】
2019054535.tif 000007
【図６】
2019054535.tif 000008
【図７】
2019054535.tif 000009
【図８】
2019054535.tif 000010
【図９】
2019054535.tif 000011
【図１０】
2019054535.tif 000012
【図１１】
2019054535.tif 000013
【図１２】
2019054535.tif 000014
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
無線ネットワークインターフェース及び無線通信インターフェースを備える通信装置の制御方法をコンピュータに実行させるためのプログラムであって、前記制御方法は、
複数の項目のうちの所定の項目が指定されたことに従って、通信装置と印刷装置の近接を促す画面を前記通信装置の表示部に表示させる工程と、
前記促す画面の表示後に前記無線通信インターフェースを介して取得された接続情報に基づき、前記無線ネットワークインターフェースを介して前記通信装置から所定の情報を取得する工程と、
前記所定の情報を取得後、前記通信装置から更に取得すべき情報を指定可能な指定画面を前記表示部に表示させる工程と、を有し、
前記指定画面において指定可能な情報は前記印刷装置のカウンタ情報を少なくとも含むことを特徴とするプログラム。
【請求項２】
無線ネットワークインターフェース及び無線通信インターフェースを備える通信装置の制御方法をコンピュータに実行させるためのプログラムであって、前記制御方法は、
複数の項目のうちの所定の項目が指定されたことに従って、通信装置と印刷装置の近接を促す画面を前記通信装置の表示部に表示させる工程と、
前記促す画面の表示後に前記無線通信インターフェースを介して取得された接続情報に基づき、前記無線ネットワークインターフェースを介して前記通信装置から所定の情報を取得する工程と、
前記所定の情報を取得後、前記通信装置から更に取得すべき情報を指定可能な指定画面を前記表示部に表示させる工程と、を有し、
前記指定画面において指定可能な情報は前記印刷装置のジャム情報を少なくとも含むことを特徴とするプログラム。
【請求項３】
無線ネットワークインターフェース及び無線通信インターフェースを備える通信装置の制御方法をコンピュータに実行させるためのプログラムであって、前記制御方法は、
複数の項目のうちの所定の項目が指定されたことに従って、通信装置と印刷装置の近接を促す画面を前記通信装置の表示部に表示させる工程と、
前記促す画面の表示後に前記無線通信インターフェースを介して取得された接続情報に基づき、前記無線ネットワークインターフェースを介して前記通信装置から所定の情報を取得する工程と、
前記所定の情報を取得後、前記通信装置から更に取得すべき情報を指定可能な指定画面を前記表示部に表示させる工程と、を有し、
前記指定画面において指定可能な情報は前記印刷装置のログ情報を少なくとも含むことを特徴とするプログラム。
【請求項４】
無線ネットワークインターフェース及び無線通信インターフェースを備える通信装置の制御方法をコンピュータに実行させるためのプログラムであって、前記制御方法は、
複数の項目のうちの所定の項目が指定されたことに従って、通信装置と印刷装置の近接を促す画面を前記通信装置の表示部に表示させる工程と、
前記促す画面の表示後に前記無線通信インターフェースを介して取得された接続情報に基づき、前記無線ネットワークインターフェースを介して前記通信装置から所定の情報を取得する工程と、
前記所定の情報を取得後、前記通信装置から更に取得すべき情報を指定可能な指定画面を前記表示部に表示させる工程と、を有し、
前記指定画面において指定可能な情報は前記印刷装置のエラー情報を少なくとも含むことを特徴とするプログラム。
【請求項５】
前記制御方法は、更に取得すべき情報が前記指定画面において指定されたことに従って、前記促す画面を前記表示部に表示させることなく、前記無線ネットワークインターフェースを介して前記通信装置から前記指定された情報を取得する工程を更に有することを特徴とする請求項１乃至４のいずれか１項に記載のプログラム。
【請求項６】
前記制御方法は、前記接続情報を取得してから前記所定の情報を取得するまでの間に、前記印刷装置と通信中であることを示す画面を前記表示部に表示させる工程を更に有することを特徴とする請求項１乃至５のいずれか１項に記載のプログラム。
【請求項７】
前記制御方法は、前記接続情報を取得後、前記所定の情報が取得されないことに基づいて、前記表示部にエラー画面を表示させる工程を更に有することを特徴とする請求項１乃至６のいずれか１項に記載のプログラム。
【請求項８】
前記制御方法は、前記所定の情報を取得後、前記通信装置から更なる情報を取得する指示がないことに基づいて、前記通信装置と前記印刷装置の間の無線ネットワーク接続を解消する工程を更に備えることを特徴とする請求項１乃至７のいずれか１項に記載のプログラム。
【請求項９】
前記無線通信インターフェースは、ＮＦＣインターフェースであることを特徴とする請求項１乃至８のいずれか１項に記載のプログラム。
【請求項１０】
前記通信装置と前記印刷装置の間の無線ネットワーク接続は、他の装置が提供するアクセスポイントを介さないダイレクト接続であることを特徴とする請求項１乃至９のいずれか１項に記載のプログラム。
【請求項１１】
前記通信装置と前記印刷装置の間の無線ネットワーク接続は、他の装置が提供するアクセスポイントを介する無線接続であることを特徴とする請求項１乃至１０のいずれか１項に記載のプログラム。
【請求項１２】
前記指定画面において指定可能な情報は、前記印刷装置のカウンタ情報の他に、前記印刷装置のジャム情報、前記印刷装置のエラー情報、前記印刷装置のログ情報、前記印刷装置のアドレス帳情報のうちのいずれか１つを少なくとも含むことを特徴とする請求項１及び請求項５乃至１１のいずれか１項に記載のプログラム。
【請求項１３】
前記所定の情報はエラー情報であることを特徴とする請求項１及び請求項５乃至１２のいずれか１項に記載のプログラム。
【請求項１４】
前記指定画面において指定可能な情報は、前記印刷装置のジャム情報の他に、前記印刷装置のカウンタ情報、前記印刷装置のジャム情報、前記印刷装置のエラー情報、前記印刷装置のログ情報、前記印刷装置のアドレス帳情報のうちのいずれか１つを少なくとも含むことを特徴とする請求項２及び請求項５乃至１１のいずれか１項に記載のプログラム。
【請求項１５】
前記所定の情報はエラー情報であることを特徴とする請求項２及び請求項５乃至１２のいずれか１項に記載のプログラム。
【請求項１６】
前記指定画面において指定可能な情報は、前記印刷装置のログ情報の他に、前記印刷装置のジャム情報、前記印刷装置のエラー情報、前記印刷装置のカウンタ情報、前記印刷装置のアドレス帳情報のうちのいずれか１つを少なくとも含むことを特徴とする請求項３及び請求項５乃至１１のいずれか１項に記載のプログラム。
【請求項１７】
前記所定の情報はエラー情報であることを特徴とする請求項３及び請求項５乃至１２のいずれか１項に記載のプログラム。
【請求項１８】
前記指定画面において指定可能な情報は、前記印刷装置のエラー情報の他に、前記印刷装置のジャム情報、前記印刷装置のカウンタ情報、前記印刷装置のログ情報、前記印刷装置のアドレス帳情報のうちのいずれか１つを少なくとも含むことを特徴とする請求項４乃至１１のいずれか１項に記載のプログラム。
【手続補正３】
【補正対象書類名】明細書
【補正対象項目名】０００１
【補正方法】変更
【補正の内容】
【０００１】
本発明は、通信装置の制御方法をコンピュータに実行させるためのプログラムに関するものである。
【手続補正４】
【補正対象書類名】明細書
【補正対象項目名】０００７
【補正方法】変更
【補正の内容】
【０００７】
本発明の一態様に係るプログラムは、無線ネットワークインターフェース及び無線通信インターフェースを備える通信装置の制御方法をコンピュータに実行させるためのプログラムであって、前記制御方法は、複数の項目のうちの所定の項目が指定されたことに従って、通信装置と印刷装置の近接を促す画面を前記通信装置の表示部に表示させる工程と、前記促す画面の表示後に前記無線通信インターフェースを介して取得された接続情報に基づき、前記無線ネットワークインターフェースを介して前記通信装置から所定の情報を取得する工程と、前記所定の情報を取得後、前記通信装置から更に取得すべき情報を指定可能な指定画面を前記表示部に表示させる工程と、を有し、前記指定画面において指定可能な情報は前記印刷装置のカウンタ情報を少なくとも含むことを特徴とする。
また、本発明の他の一態様に係るプログラムは、無線ネットワークインターフェース及び無線通信インターフェースを備える通信装置の制御方法をコンピュータに実行させるためのプログラムであって、前記制御方法は、複数の項目のうちの所定の項目が指定されたことに従って、通信装置と印刷装置の近接を促す画面を前記通信装置の表示部に表示させる工程と、前記促す画面の表示後に前記無線通信インターフェースを介して取得された接続情報に基づき、前記無線ネットワークインターフェースを介して前記通信装置から所定の情報を取得する工程と、前記所定の情報を取得後、前記通信装置から更に取得すべき情報を指定可能な指定画面を前記表示部に表示させる工程と、を有し、前記指定画面において指定可能な情報は前記印刷装置のジャム情報を少なくとも含むことを特徴とする。
【手続補正５】
【補正対象書類名】明細書
【補正対象項目名】０００８
【補正方法】変更
【補正の内容】
【０００８】
また、本発明の他の一態様に係るプログラムは、無線ネットワークインターフェース及び無線通信インターフェースを備える通信装置の制御方法をコンピュータに実行させるためのプログラムであって、前記制御方法は、複数の項目のうちの所定の項目が指定されたことに従って、通信装置と印刷装置の近接を促す画面を前記通信装置の表示部に表示させる工程と、前記促す画面の表示後に前記無線通信インターフェースを介して取得された接続情報に基づき、前記無線ネットワークインターフェースを介して前記通信装置から所定の情報を取得する工程と、前記所定の情報を取得後、前記通信装置から更に取得すべき情報を指定可能な指定画面を前記表示部に表示させる工程と、を有し、前記指定画面において指定可能な情報は前記印刷装置のログ情報を少なくとも含むことを特徴とする。
また、本発明の他の一態様に係るプログラムは、無線ネットワークインターフェース及び無線通信インターフェースを備える通信装置の制御方法をコンピュータに実行させるためのプログラムであって、前記制御方法は、複数の項目のうちの所定の項目が指定されたことに従って、通信装置と印刷装置の近接を促す画面を前記通信装置の表示部に表示させる工程と、前記促す画面の表示後に前記無線通信インターフェースを介して取得された接続情報に基づき、前記無線ネットワークインターフェースを介して前記通信装置から所定の情報を取得する工程と、前記所定の情報を取得後、前記通信装置から更に取得すべき情報を指定可能な指定画面を前記表示部に表示させる工程と、を有し、前記指定画面において指定可能な情報は前記印刷装置のエラー情報を少なくとも含むことを特徴とする。